Podtech/llm-jp-corpus-v4-ja_patent huggingface dataset:
(57)【要約】      （修正有）【課題】雨天夜の部屋干し８時間以内で作業ズボンを乾燥させ、収納時はかさばらずスペースもとらず、さらに、天日干し中の風で洗濯ひもから落ちたり、洗濯ひも上を動いたりしない作業ズボン乾燥用ハンガーを提供する。【解決手段】使用時、ハンガー本体Ａと直交可能な回転アームＢによる回転構造、回転アームＢを支える回転アーム支持部（割りピン式）Ａ３による支持構造、ひと組が、隣接するうす生地固定部Ａ４，Ｂ２とあつ生地固定部Ａ５，Ｂ３から成るズボン固定構造、収納時、回転アームＢ上の突起（凸曲面）Ｂ１をハンガー本体Ａの突起収納部（凹曲面）Ａ２に納める収納構造、さらに、かぎ穴形の洗濯ひも固定部Ａ１によるひも固定構造を設け、これら５つの構造すべてを組合わせる。これにより、ズボンの腰部から両足部にかけて空気の吹き抜け（空洞部）を設ける。【選択図】図１
0003189129.tif 000002
【実用新案登録請求の範囲】
【請求項１】
ハンガーにおいて、使用時、ハンガー本体と直交可能な回転アームによる回転構造、回転アームを支える回転アーム支持部（割りピン式）による支持構造、ひと組が、隣接するうす生地固定部とあつ生地固定部から成るズボン固定構造、収納時、回転アーム上の突起（凸曲面）をハンガー本体の突起収納部（凹曲面）に納める収納構造、さらに、かぎ穴形の洗濯ひも固定部によるひも固定構造を設け、これら５つの構造すべてを組合わせた作業ズボン乾燥用ハンガーである。
【考案の詳細な説明】
【技術分野】
【０００１】  本考案は、ハンガーに関する。
【背景技術】
【０００２】  従来のハンガーは、ズボンを干す時、ズボンの腰部から両足部にかけて空気の吹き抜け（空洞部）を設けることができなかったので、かわきが遅く短時間では乾燥できなかった。
【考案の概要】
【考案が解決しようとする課題】
【０００３】  本考案は、雨天夜の部屋干し８時間以内で作業ズボンを乾燥させ、収納時はかさばらずスペースもとらず、さらに、天日干し中に風で洗濯ひもから落ちたり、洗濯ひも上を動いたりしない作業ズボン乾燥用ハンガーを提供する。
【課題を解決するための手段】
【０００４】  ハンガー本体と直交する回転アームによる回転構造、回転アームを支える回転アーム支持部（割りピン式）による支持構造、ひと組が、隣接するうす生地固定部とあつ生地固定部から成るズボン固定構造の組合わせにより、ズボンの腰部から両足部にかけて空気の吹き抜け（空洞部）を設けることができるので、雨天夜の部屋干し８時間以内で作業ズボンを乾燥できる。収納時、回転アーム上の突起（凸曲面）を納める突起収納部（凹曲面）への収納構造により、本ハンガーがかさばらずスペースもとらずにすみ、さらに、かぎ穴形上方に洗濯ひもを固定するひも固定構造により、天日干し中の風で洗濯ひもから落ちたり、洗濯ひも上を動いたりしないようにできる。
【考案の効果】
【０００５】  作業ズボン乾燥用ハンガーを利用すれば、ズボンに空洞部を設けることができるため、雨天夜の部屋干し８時間以内で作業ズボンを乾燥させることができ、また、回転アームを収納できるので、かさばらずスペースもとらない。さらに、かぎ穴上部に洗濯ひもを固定するので、風で洗濯ひもから落ちたり、洗濯ひも上を動いたりしない。
【図面の簡単な説明】
【０００６】
【図１】正面図（回転アーム収納時）
【図２】正面図（使用時１）
【図３】平面図（使用時）
【図４】正面図（使用時２）
【考案を実施するための形態】
【０００７】  回転アームは回転アーム支持部を中心にしてハンガー本体と直交するまで回転させ（図３の平面図参照）、回転アーム下方部（Ｂ２，Ｂ３）及びハンガー本体下方部（Ａ４，Ａ５）でズボンを固定する。回転アームを収納するときは、回転アームの突起Ｂ１がハンガー本体の突起収納部Ａ２に収まるまで回転させる。風で落ちたり、動いたりするのを防止するには、洗濯ひも固定部Ａ１上方の楕円部分に洗濯ひもを固定する。ハンガー本体及び回転アームの素材は、弾力性があり、太陽光・風雨・温度変化などに対して耐久性のあるプラスチックとする。特に、弾力性が必要な部分は洗濯ひも固定部Ａ１、回転アーム支持部Ａ３、生地固定部（Ａ４，Ａ５，Ｂ２，Ｂ３）である。
【符号の説明】
【０００８】  Ａ  ハンガー本体
Ａ１  洗濯ひも固定部
Ａ２  突起収納部（凹曲面）
Ａ３  回転アーム支持部（割りピン式）
Ａ４  うす生地固定部
Ａ５  あつ生地固定部
Ｂ  回転アーム
Ｂ１  突起（凸曲面）
Ｂ２  うす生地固定部
Ｂ３  あつ生地固定部
【図１】
0003189129.tif 000003
【図２】
0003189129.tif 000004
【図３】
0003189129.tif 000005
【図４】
0003189129.tif 000006
(57)【要約】      （修正有）【課題】醤油やソース、たれ、調味料などを入れた皿が、風などで飛ばされず、且つ、醤油やソース、たれ、調味料を浸ける際、又は、縁部（周辺部）に食品を置いた時に、皿が傾き内容物がこぼれてしまうことがない皿を提供する。【解決手段】一般的な皿は縁部２が底面部１より上方に向かって拡開した形状になっている。該皿縁部の頂端部からさらに下方に向かって拡開するように縁部３を形成することにより、風が皿の底面に入らず、風などにより飛散したり、転倒したりしてしまうことがないようにする。また、皿の縁部２の頂端部から下方に向かって拡開するように縁部３を形成することにより、縁部２（周辺部）に食品を置いても皿が傾かず、内容物がこぼれないようにする。【選択図】図１
0003189122.tif 000002
【実用新案登録請求の範囲】
【請求項１】
寿司や刺身その他食品を食する時に、醤油やソース、たれ、調味料を浸ける皿であって、該皿は周辺部に縁を設けた浅底をなし、縁部の頂端部からさらに下方に向かって、皿の縁部を底面より少々長く拡開するように形成されていることを特徴とする皿。
【請求項２】
上記の皿はプラスチック製であることを特徴とする請求項１又は請求項２の皿。
【考案の詳細な説明】
【技術分野】
【０００１】  本考案は、寿司や刺身その他食品を食する時に、醤油やソース、たれ、調味料を浸ける皿に関するものである。
【背景技術】
【０００２】  一般的に、寿司や刺身その他食品を食する時に、醤油やソース、たれ、調味料を浸ける皿は、縁部（周辺部）が底面部より上方に向かって拡開した形状になっている。【０００３】  しかし、プラスチック製の皿は軽量のため、屋外において使用する際、風などにより飛散したり、転倒したりしてしまうことがある。屋内においても扇風機等の風により、同様の問題が発生する。【０００４】  また、食品を食する時に、醤油やソース、たれ、調味料を浸ける際、縁部（周辺部）に食品を置くと、皿が傾き内容物がこぼれてしまうことがある。【０００５】  上記二つの問題を解決するために、皿の縁部（周辺部）の形状を改善し、安定性のある形状を考案する必要があった。
【考案の開示】
【先行技術文献】
【特許文献】
【０００６】
【特許文献１】特許公開２００２−２７２５８３
【特許文献２】特許公開２００９−２８４８９２
【実用新案文献】
【０００７】
【実用新案文献１】
登録実用新案第３１４２５５４号
【実用新案文献２】
登録実用新案第３１１４７７８号
【考案が解決しようとする課題】
【０００８】  本考案の解決する課題は、醤油やソース、たれ、調味料などを入れた皿が、風などで飛ばされず、且つ、食品を食する時に、醤油やソース、たれ、調味料を浸ける際、縁部（周辺部）に食品を置いた場合、皿が傾き内容物がこぼれてしまうことがない皿を提供することにある。
【課題を解決するための手段】
【０００９】  上記課題を解決するために、一般的な皿は縁部が底面部より上方に向かって拡開した形状になっている。該皿縁部の頂端部からさらに下方に向かって拡開するように縁部を形成することにより、風が皿の底面に入らず、風などにより飛散したり、転倒したりしてしまうことがないようにすることを特徴とする。
【００１０】  また、皿の縁部（周辺部）から下方に向かって拡開するように縁部を形成することにより、縁部（周辺部）に食品を置いても皿が傾かず、内容物がこぼれてないようにすることを特徴とする。
【考案の効果】
【００１１】  本考案の皿を使用することにより、従来の一般的なプラスチック製の皿を使用する場合より、屋外において使用する際、風などにより飛散したり、転倒したりしてしまうことが格段に減少し、屋内においても扇風機等の風により、同様の問題が発生することを防止できる。
また、食品を食する時に、醤油やソース、たれ、調味料を浸ける際、縁部（周辺部）に食品を置いても、皿が傾き内容物がこぼれてしまうことを防止できる。
【実施例】
【００１２】  以下、本考案の皿の実施形態について、図面を参照しつつ詳細に説明する。
図１は、本考案の皿の実施形態の全体斜視図である。該皿は円形底１の周りに縁２を上方に向かって拡開した形状になっており、該縁２は醤油やソース、たれ、調味料を浸けるため、低く浅くなっている。さらに縁２の頂端部からさらに下方に向かって拡開するように縁３を形成している。【００１３】  図３は本考案の皿の断面図である。縁３の内角θは水平面より４０°から６０°で形成されており、また、円形底１は水平面より１ｍｍから２ｍｍ隙間４がある。【００１４】  本考案の皿は、以上説明した通りであるが、本考案の趣旨を逸脱しない限りにおいて、円形、四角形など、種々変形した形態のものが考えられるが、これらも本考案の範囲に含まれることはむろんである。
【図面の簡単な説明】
【００１５】
【図１】  「本考案の皿の実施形態を示した斜視図である」
【図２】  「図１に示した皿の平面図である」
【図３】  「図１に示した皿の断面図である」
【図１】
0003189122.tif 000003
【図２】
0003189122.tif 000004
【図３】
0003189122.tif 000005
【手続補正書】
【提出日】平成25年11月28日(2013.11.28)
【手続補正１】
【補正対象書類名】実用新案登録請求の範囲
【補正対象項目名】請求項２
【補正方法】変更
【補正の内容】
【請求項２】
上記の皿はプラスチック製であることを特徴とする請求項１に記載の皿。
(57)【要約】      （修正有）【課題】５個同時の卵や食材の焼きあげ調理において、均等な分量と同じ円形の製品を提供できる調理補助器具を提供する。【解決手段】５つの金属製もしくは耐熱性の枠底を有する円形枠を外周部接点で互いに連結する。植物油を塗膜した状態でガスコンロ上に設置し加熱することでほぼ同時に５個の正確な円形の加工調理食材が成型できる。【選択図】図３
0003189126.tif 000002
【実用新案登録請求の範囲】
【請求項１】
5つの円形型を連結させて、正確な円形の食材を調理することを可能とした調理補助器具。 
【考案の詳細な説明】
【技術分野】
【０００１】      本考案は、一般家庭や業務用のたまご焼き調理や焼き食材の調理補助器  具に関するものである。
【背景技術】
【０００２】        従来の卵焼きは単純にフライパン上に卵を割り入れて焼くか、もしくは、小型の円形フライパンや角型フライパンでおおよその円形に割り入れて卵を焼いている。【０００３】      しかしながら、従来の方法には以下のような欠点があった。        イ  卵や食材をフライパンで複数個同時に焼く時には、互いの卵が隣接しあって正確な焼き分けができず、食材同士が付着てしまった。    ロ  焼きあげる卵が1個の円形であった。
【先行技術文献】
【特許文献】
【０００４】
【特許文献１】特開2003-061833
【考案の概要】
【考案が解決しようとする課題】
【０００５】      本考案は、以上のような従来の欠点に鑑み、5個同時の卵や食材の      焼きあげ調理に均等な分量と同じ円形の製品を提供することを目的と      している。
【課題を解決するための手段】
【０００６】      上記目的を達成するためには、本考案は、5つの金属製もしくは耐熱性の円形枠1の外周部接点2を互いに連結し5つの円形を形成する以上の構造をもつ卵や食品の焼きあげ時に使用する調理補助器具を構成している。
【考案の効果】
【０００７】    以上の説明から明らかなように、本考案にあっては次に列挙する効果が得られる。  本考案は、5つの金属製もしくは耐熱性の円形枠1の外周部接点2を互いに連結し5つの円形を形成する以上の構造をもつ卵や食品の焼きあげ時に使用する調理補助器具を構成しているので、同時に5個の加工食材を提供する    ことができる。【０００８】
【図面の簡単な説明】
【０００９】
【図１】本考案を実施するための最良の第1の形態の平面図である。
【図２】本考案を実施するための最良の第1の形態の断面図である。
【図３】本考案を実施するための最良の第1の形態の鳥瞰図である。
【考案を実施するための形態】
【００１０】    以下、本考案の実施の形態を図に基づいて説明する。
【実施例１】
【００１１】      図1は、本考案装置の実施例1の平面図であって同じ大きさの円形枠1を5個用意す  る。円形枠は互いに円の外周部2によって接点をもつ。【００１２】      円形枠の外接点2は溶接もしくは耐熱性の接着剤により固定され、円は互いに連結される。互いに連結された円形枠は、調理加熱前に内部に植物油を塗布し  加熱することで使用する。
【実施例２】
【００１３】      図2は本考案装置の実施例2の断面図であって、同じ円形型の外周接点において連結固定されている。
【実施例３】
【００１４】      図3は本考案装置の実施例3の鳥瞰図であって、ガスコンロ上に置かれた本考案装置の設置である。
【産業上の利用可能性】
【００１５】      本考案は、焼き食材の円形型調理補助器具を製造する産業で利用される。
【符号の説明】
【００１６】    1      円形枠    2      接点    3      加工枠    4      枠底
【図１】
0003189126.tif 000003
【図２】
0003189126.tif 000004
【図３】
0003189126.tif 000005
【手続補正書】
【提出日】平成25年10月21日(2013.10.21)
【手続補正１】
【補正対象書類名】明細書
【補正対象項目名】０００９
【補正方法】変更
【補正の内容】
【０００９】
【図１】本考案を実施するための最良の第１の形態の平面図である。
【図２】本考案を実施するための最良の第１の形態の断面図である。
【図３】本考案を実施するための最良の第１の形態の鳥瞰図である。
【手続補正書】
【提出日】平成25年12月6日(2013.12.6)
【手続補正１】
【補正対象書類名】実用新案登録請求の範囲
【補正対象項目名】全文
【補正方法】変更
【補正の内容】
【実用新案登録請求の範囲】
【請求項１】
５つの金属製もしくは耐熱性の枠底を有する円形枠を該円形枠の外周部接点で互いに連結したことを特徴とする円形型調理補助器具。
【手続補正２】
【補正対象書類名】明細書
【補正対象項目名】０００６
【補正方法】変更
【補正の内容】
【０００６】
上記目的を達成するためには、本考案の円形型調理補助器具は、５つの金属製もしくは耐熱性の枠底を有する円形枠を該円形枠の外周部接点で互いに連結したことを特徴とする。
(57)【要約】      （修正有）【課題】スマートフォン、名札、名刺、ＩＣカードを入れるそれぞれ別々のケースを用意する必要が無く、且つ個性の表現や宣伝機能も付随させることができる多目的ストラップケースを提供する。【解決手段】オリジナルデザインを印刷可能である本体広告表部１及び本体広告裏部３と、透明名刺ポケット２と、透明スマートフォンポケットとを、表裏結合部６で結合し、本体中心部を中心として折り返し可能とし、ネックストラップ通し部分５にネックストラップ７を通して構成される。この多目的ストラップケースにより、スマートフォンケース、名札、名刺ポケット、ＩＣカードケースを結合させることで上記の課題を克服すると同時に、個性の表現や宣伝効果、更には生活防水機能も付帯させている。【選択図】図３
0003189112.tif 000002
【実用新案登録請求の範囲】
【請求項１】
本案は、スマートフォンケース、名札、名刺ケース、ＩＣカードケースを結合させ、本体部分に自由にデザインをプリントすることで個性を表現または宣伝効果も期待できる新規なる多目的ストラップケースである。
【考案の詳細な説明】
【技術分野】
【０００１】  本案は上記の如くして、図１〜４が示す如くオリジナルデザインを印刷可能である本体広告表部１、透明名刺ポケット２、本体広告裏部３、透明スマートフォンポケット４で構成される本体中心部８を折り返し、表裏結合部６、ネックストラップ通し部分５、ネックストラップ７を通して構成される新規なる考案である。【０００２】  従来もスマートフォンケースやスマートフォンを首から提げるネックストラップ、名刺ケースや名札ホルダーなどは広く使用されていたが、それぞれ別々であるために無くしたり忘れてしまうリスクや、いくつも持たなければならなく面倒であるという欠点があった。
本考案品は、それらを一つにまとめることでそれぞれ別々にケースを用意する必要が無くなり、且つ個性の表現や宣伝機能も付随させている。
本案は軟質ビニール及びプラスチック類で出来た本体部分に透明の軟質ビニールまたはそれに準ずる素材で出来た名刺ポケットとスマートフォンポケットを取りつけ二つ折りにし、折り目にネックストラップを通したものである。
名刺ポケットに名刺や名札を入れることで名札としての機能、名刺を数枚入れることで名刺入れの機能、ＩＣカードを入れることでＩＣカードケースの機能を果たす。非接触型のＩＣ機器であればＩＣカードを多目的ケースから出すことなく感知が可能である。
スマートフォンは名刺ポケットと反対側にあるスマートフォンポケットに収納可能であり、スマートフォンポケットに収納したままスマートフォンの操作及び通話が可能である。軟質ビニール製のポケットに保護された状態で操作が可能である為、生活防水機能も果たす。
本体部分には自由なデザインをプリント可能であり、イメージカラーや個性を表現、また宣伝効果も期待できる。ネックストラップも幅の広いものを使用すれば名称やロゴなどをプリントすることが可能であるなど、その益する所甚だ大である。
【図面の簡単な説明】
【０００３】
【図１】多目的ストラップケース前面
【図２】多目的ストラップケース後面
【図３】多目的ストラップケースを折り曲げた図
【図４】多目的ストラップケースを開いた図
【符号の説明】
【０００４】１．      本体広告表部
２．      透明名刺ポケット
３．      本体広告裏部
４．      透明スマートフォンポケット
５．      ネックストラップ通し部分
６．      表裏結合部
７．      ネックストラップ
８．      中心部
【図１】
0003189112.tif 000003
【図２】
0003189112.tif 000004
【図３】
0003189112.tif 000005
【図４】
0003189112.tif 000006
【手続補正書】
【提出日】平成25年8月30日(2013.8.30)
【手続補正１】
【補正対象書類名】実用新案登録請求の範囲
【補正対象項目名】全文
【補正方法】変更
【補正の内容】
【実用新案登録請求の範囲】
【請求項１】
オリジナルデザインを印刷可能である本体広告表部及び本体広告裏部と、透明名刺ポケットと、透明スマートフォンポケットとを、表裏結合部で結合し、本体中心部を中心として折り返し可能とし、ネックストラップ通し部分にネックストラップを通したことを特徴とする多目的ストラップケース。
(57)【要約】      （修正有）【課題】中身を他の容器に移したり、口に運んだりするのを円滑にできる角が丸いポリスチレンペーパ角形納豆容器を提供する。【解決手段】ポリスチレンペーパ納豆容器の受け皿縁３の外側及び蓋２の外側の４個の角を、受け皿内側カーブに添った丸い形にする。【選択図】図１
0003189117.tif 000002
【実用新案登録請求の範囲】
ポリスチレンペーパ角形納豆容器の受け皿縁の外側及び蓋の外側の四つの角を受け皿の角に添った丸い形にする。
【考案の詳細な説明】
【考案が解決しようとする課題】
【０００１】本考案は今の角型ポリスチレンペーパ納豆容器では、中身を他の容器に移したり、直接口に運ぶ場合、尖った容器の縁の角が邪魔をして遣り難いのを解消するものである。
【考案の概要】
【０００２】納豆は現在の日本人の殆どの家庭で日常的に使われ、料理せずにそのままかき混ぜて食する事が出来、安価で栄養価も高い食品であるが、材料のネバネバが他の容器に移るのが問題である。殆どの利用者が購入の容器をそのまま利用している。
その際角形ポリスチレンペーパ容器の受け皿縁の部分の外側の角が、他の容器に移したり、口に運んだりするのを邪魔をしているという問題がある。
【課題を解決する手段】
【０００３】ポリスチレンペーパ角形納豆容器の受け皿縁の外側と蓋の部分の外側の角を受け皿の内壁に添って丸くするように改良する。その為にはポリスチレンペーパ成形機を改良し、成形の際一発で上記の角を丸くする。蓋外側の角を受け皿縁の外側角に合わせて丸くするのは体裁と美観の為である。他の生産工程に変更の必要はなく、導入は容易である。
、
【考案の効果】
【０００４】ポリスチレンペーパ角形納豆容器の受け皿縁の外側の角を丸くすることにより、納豆を他の容器に移したり、直接口に運ぶ動作がスムーズになり、特に殆どの利用者が納豆容器をそのまま使用している利便を向上させる。
【図面の簡単な説明】
【０００５】
【図１】改良したポリスチレンペーパ納豆容器の俯瞰平面図である。
【図２】改良したポリスチレンペーパ納豆容器の正面図である。
【符号の説明】
【０００６】１  受け皿
２  蓋
３  縁
４  突起
【図１】
0003189117.tif 000003
【図２】
0003189117.tif 000004
【手続補正書】
【提出日】平成25年11月27日(2013.11.27)
【手続補正１】
【補正対象書類名】実用新案登録請求の範囲
【補正対象項目名】全文
【補正方法】変更
【補正の内容】
【実用新案登録請求の範囲】
【請求項１】
受け皿縁の外側及び蓋の外側の四つの角を受け皿の角に添った丸い形にしたことを特徴とする角が丸いポリスチレンペーパ角形納豆容器。
(57)【要約】      （修正有）【課題】模擬食べ物を食べ、体内を通って、排泄されるイメージが描けるハンドパペットを提供する。【解決手段】頭部１、胴体部２及びテイル部３よりなる。頭部１には開閉でき、且つその奥がスリット状に開口している口部を設け、テイル部３にはしっぽと共に手指が挿入できる開口部１１を設け、開口部１１より手指を挿入し、口部にある擬似食べ物を把持してテイル部３の開口部１１より取り出す。【選択図】図１
0003189104.tif 000002
【実用新案登録請求の範囲】
【請求項１】
頭部、胴体部及びテイル部よりなるハンドパペットであって、前記頭部には開閉でき、且つその奥がスリット状に開口している口部を設け、前記テイル部にはしっぽと共に手指が挿入できる開口部を設け、該開口部より手指を挿入し、前記口部にある擬似食べ物を把持して前記テイル部の開口部より取り出すことを特徴とするハンドパッペット。
【請求項２】
ハンドパペットがウサギ、クマ、犬等の動物のキャラクタ人形である請求項１に記載のハンドパペット。
【考案の詳細な説明】
【技術分野】
【０００１】
本考案は手や指で操作できるハンドパペットに関し、特に、ハンドパペット内に挿入した手や指の操作によって模擬食べ物を食べ、体内を通って、排泄されるイメージが描けるハンドパペットに関する。
【背景技術】
【０００２】
従来、ハンドパペット内に手指を挿入しこの手指の操作によってハンドパペットにいろいろな動作を行わせることはよく知られている。例えば特許文献１にはハンドパペットを操作する者がハンドパペットの口をパクパクと開閉させて、いかにも食べたような動作を行うハンドパペットについて記載されている。特許文献２にはハンドパペット本体内部にハンドパペットのキャラクターに合わせた鳴き声の鳴き笛を保持させパペット手先部の動作によって鳴き笛を発音させるようなハンドパペットが開示されている。また、特許文献３は食べる真似遊びができ、且つハンドパペット使用後にハンドパペットと共に使用した物を遊びながら自然に収納することができ、お片付けの習慣を身につけながら確実に収納できるハンドパペットが開示されている。即ち、特許文献３に開示されているハンドパペットは手指の操作により上口と下口を開閉するハンドパペットであって、手指を挿入できる袋状のハンドパペット本体と、前記ハンドパペット本体の先頭部に形成され、前記上口及び下口の口奥が開口する口部と、前記口部の上口端面に沿って接着または縫合され、前記上口端面を支点にしてリバース可能な頭部とを備え、前記頭部は、前記リバース時には、前記上口及び下口を覆うハンドパペットが開示されている。
【先行技術文献】
【特許文献】
【０００３】
【特許文献１】実用新案登録第３１１５２７２号公報
【特許文献２】実用新案登録第３０７７２６４号公報
【特許文献３】特開２０１０−４６２６８号公報
【考案の概要】
【考案が解決しようとする課題】
【０００４】
本考案は手指によって口部が開閉するハンドパペットにおいて、ハンドパペットの口部に模擬食べ物（以後、単に食べ物という）を入れると、口をもぐもぐさせて恰もそれを食べているような仕草をし、体内を通って、最後にお尻から排泄されるイメージが描けるハンドパペットを提供することを目的とする。
【課題を解決するための手段】
【０００５】
本考案は、頭部、胴体部及びテイル部よりなるハンドパペットであって、前記頭部には開閉でき、且つその奥がスリット状に開口している口部を設け、前記テイル部にはしっぽと共に手指が挿入できる開口部を設け、該開口部より手首を挿入し、前記口部にある食べ物を把持して前記テイル部の開口部より取り出すことを特徴とするハンドパペットを提供することができた。
【考案の効果】
【０００６】
上記の構成を採ることによって幼児に例えば図２に示されるように食べ物が動物の体内でどのように通過するかを容易に理解させることができるハンドパペットを提供することができた。
【図面の簡単な説明】
【０００７】
【図１】本考案に係るハンドパペットの斜視図
【図２】本考案に係るハンドパペットのイメージ図
【考案を実施するための形態】
【０００８】
本考案について詳細に述べる。
本考案に係るハンドパペットはウサギ、クマ、犬等の動物のキャラクタ人形であればよく、特に制限されることはない。そして、頭部、胴体部及びテイル部は同一の材料で一体的に成形してもよく、或いは別個の材料でそれぞれを形成した後、これらを接合あるいは縫合してもよい。このようなキャラクタ人形の頭部に口部を設ける。口部は上口と下口（顎）とが開閉でき、その奥にスリット状の開口部を設け、このスリット状開口部は食べ物を挿通できるようにする。胴体部は手指が挿入できる袋状で、その外側に手、足を設け、或いは、例えば物を入れるポケットを設けてもよい。この胴体部の端部にテイル部を繋げる。テイル部の一方は胴体部に繋がり、他端に開口部を設ける。この開口部の周縁にはゴム等の弾性体を挿入して絞り、手首が挿入できるようにする。
【０００９】
このようなハンドパペットの口部に食べ物をおくと、テイル部の開口部から挿入した手指によって上口と下口とを上下に動かし恰も食べ物を食べるような仕種をしてその奥のスリット状開口部よりパペット体内に引き入れる。その後、この食べ物をテイル部の開口口より取り出す。
【実施例】
【００１０】
次に本考案の実施例として図面をもって具体的に説明する。
図１は本考案に係るポペットとしてウサギのキャラクタ人形の斜視図を示す。該パペットの頭部１には耳４，目５、鼻６及び開閉できる上口７と下口（顎）８とからなる口部を有す。胴本体２には手９及び食べ物を入れるポケット１０を設ける。そして、胴本体２の端部をテイル部３に繋げる。テイル部には手が挿入できる開口部を設け開口部は伸縮性を有するように、その周縁にゴム等の弾性物質を挿入する。このようなパペットにおいて口部に食べ物１２をおくと、先に述べたように、テイル部の開口部１１から挿入した手指によって上口７と下口８とを上下に動かし恰も食べ物１２を食べるような仕種をしてその奥のスリット状開口部よりパペット体内に引き入れ、この食べ物をテイル部の開口部より口より取り出す。
そのイメージを図２に示す。
【産業上の利用可能性】
【００１１】
キャラクタ人形のパペットを使用して食べ物を口の中に入れると、口をもぐもぐさせ、食べたものがテイル部の開口口より取り出されるので、幼児に興味を与えることができ、産業上利用可能性を有する。
【符号の説明】
【００１２】
１  頭部            ２  胴体部                ３  テイル部
４  耳              ５  目                    ６  鼻
７  上口            ８  下口（顎）            ９  手
１０  ポケット    １１  テイル部の開口部    １２  食べ物
【図１】
0003189104.tif 000003
【図２】
0003189104.tif 000004
(57)【要約】      （修正有）【課題】製造及び輸送コストの削減を計り、衣類の着脱作業を円滑化し、劣化を抑制することが出来る衣類用ハンガーと同ハンガー用等に使用するフックを提供する。【解決手段】衣類用ハンガー中央部からフックを無くし、同部に別部品としたフック下部の爪にハンガーを引っ掛けるための通し穴や凹凸を付けるなどの支持構造とする。フック無しハンガー用フックは、物干し竿等の支持部材の下から挿入し９０度旋回させながら引き下げた後に、支持部材からフックが抜け落ちないように２対の非対称引っ掛け形状としたものや、フックをフック支持棒状の物等に固定する形でも使用できる。【選択図】図１
0003189246.tif 000002
【実用新案登録請求の範囲】
【請求項１】
物干し竿等に引っ掛けるためのフックを無くし、別部品としたフック下部の爪に引っ掛けた後にハンガーの落下を防ぐための挿入口や凹凸等の支持構造を施した衣類用ハンガー。
【請求項２】
簡単に竿等に装着でき、装着後に抜け落ちないようにするためにフック部を非対称構造とした衣類用ハンガーなどに使用するフック。
【考案の詳細な説明】
【技術分野】
【０００１】フックを無くした衣類等を掛けるためのハンガーと同ハンガーを引っ掛けて吊るすためのフック。
【背景技術】
【０００２】現状の衣類等に使用するハンガーには、ハンガーを竿等に掛けるためのフックが一体形成されている。
【先行技術文献】
【特許文献】
【０００３】
【特許文献１】  特許公開  ２０１３−３１６１６
【特許文献２】  特許公開  ２０１２−３９８
【特許文献３】  特許公開  ２０１１−１１３７７５
【特許文献４】  特許公開  ２０１１−２３９８２６
【特許文献５】  特許公開  ２０１１−３９９
【考案の概要】
【考案が解決しようとする課題】
【０００４】現状の一般的なフック一体型ハンガーは、衣類を通す際にフックが引っかかり邪魔になり、衣類に傷を付けることもある。特に首周りの小さな衣類では衣類の下からハンガーを通さなければならず非常に手間が掛かる。【０００５】フック一体型ハンガーは、不要となった際には一体で廃棄されるので、一般家庭をはじめ衣類に関わるあらゆる産業での資源の無駄使いと、製造工程から使用者に流通される過程で梱包効率が低く運送エネルギーの無駄使いとなっている。【０００６】一体形成されたフック付衣類用物干しハンガーは、強風やカラスのいたずら等でハンガーを掛けている竿から落下しないように固定する為に竿を挟み込む機能が付いている物があり、そのようなハンガーでは、ハンガーを竿等に掛ける際にその都度、高い所に手を伸ばして挟み込む機構部を開閉させる手間が掛かる他、背の低い人にとっては竿が高い位置にあると更に苦労する。【０００７】その挟み込む機能部は部品点数が複数あり製造コストが高くつき、挟み込む機能部の寿命が短く消費者にとっては不利益となっている。
【課題を解決するための手段】
【０００８】衣類用ハンガーからフックを無くし、ハンガーを竿等に掛ける為のフックを別部品とした。
［選択図］図１、図２、図３、図４、図５、図６
【考案の効果】
【０００９】ハンガーからフックをなくすことで、衣類をハンガーに通す際に邪魔なフック部を気にせずに作業が出来、衣類をフックに引っ掛けて傷をつけることも無くなる。
［選択図］図１、図２【００１０】フックなしハンガーは、家庭での衣類を掛ける行為だけでなく、衣類販売店等では、フック部を支持部材に取り付けて使用するので、展示スタイルの改革が出来る。
［選択図］図６【００１１】ハンガー部とフック部を別々の製品とすることで、製造コストを削減でき、一般家庭をはじめ衣類に関わるあらゆる産業でフック部は継続利用が出来、更に製造されたハンガーを梱包する際には、フック付きハンガーに比べ空きスペースを縮小する事が出来る。この効果により製造工程では資源の節約ができ、物流途中でのエネルギー削減を図ることができる。
［選択図］図７【００１２】フックの竿等に引っ掛ける部分からハンガーを引っ掛ける爪までの距離を長くする事により、背の低い人も背伸びをせずともハンガーを楽に掛けることができる。
［選択図］図３、図４
【図面の簡単な説明】
【００１３】
【図１】フック無しハンガー形状例図−１（フック１点吊型）
【図２】フック無しハンガー形状例図−２（フック多点吊型）
【図３】フック無しハンガー用フックの形状例図−１（１点吊型）
【図４】フック無しハンガー用フックの形状例図−２（２多吊型）
【図５】フックの竿等への装着動作説明図
【図６】フック無しハンガーとフックの取り付け形状例図
【図７】ハンガー梱包比較例図
【考案を実施するための形態】
【００１４】衣類用ハンガー中央部からフックを無くし、同部に別部品としたフック下部の爪にハンガーを引っ掛けるための通し穴や凹凸を付けるなどの支持構造とする。
［選択図］図１、図２
【００１５】フック無しハンガー用フックは、物干し竿等の支持部材の下から挿入し９０度旋回させながら引き下げた後に、支持部材からフックが抜け落ちないように２対の非対称引っ掛け形状としたものや、フックをフック支持棒状の物等に固定する形でも使用できる。
［選択図］図３
【符号の説明】
【００１６】１  ハンガー本体
２  ハンガーのフック引っ掛け部
３  フックの竿等に引っ掛ける部分
４  フックにハンガーを引っ掛ける部分（爪）
【産業上の利用可能性】
【００１７】洋服タンスやクローゼットの他、衣料品売り場、衣料品物流用等への応用が可能で、各使用箇所での作業の効率アップや品質維持に貢献できる。【００１８】フック一体型ハンガーは、廃棄や新形状に伴い交換する際には全てが対象となるが、フックとハンガーを別部品とすることにより、廃棄や新形状への交換時にはハンガーのみが対象となるので、製造資源削減と合わせ搬送や梱包効率の向上によりエネルギー削減が図れる。【００１９】フック無しハンガー及び同ハンガー用フックは、金属製だけでなく、樹脂製でも無限の形状を創造できるので、各産業の発展に貢献ができる。
【図１】
0003189246.tif 000003
【図２】
0003189246.tif 000004
【図３】
0003189246.tif 000005
【図４】
0003189246.tif 000006
【図５】
0003189246.tif 000007
【図６】
0003189246.tif 000008
【図７】
0003189246.tif 000009
【手続補正書】
【提出日】平成25年12月7日(2013.12.7)
【手続補正１】
【補正対象書類名】実用新案登録請求の範囲
【補正対象項目名】全文
【補正方法】変更
【補正の内容】
【実用新案登録請求の範囲】
【請求項１】
物干し竿等に引っ掛けるための爪部分を上部に備え、ハンガーを引っ掛けるための爪部分を下部に備えたフック部品と、前記フック部品のハンガーを引っ掛けるための爪部分と係合する支持構造を中央部に備えたフック無しハンガー部品とからなる衣類用ハンガー。
(57)【要約】      （修正有）【課題】スナップの間隔のような隙間が出来ず身体が見えてしまうのを防止することができ、力をかけずに容易に開閉できるファスナー式ラップタオルを提供する。【解決手段】タオルの布上部１に伸縮性のあるゴムなどの部材を縫い付けるか、端を筒状にしてゴムなどの部材を通す。上端部の左右に結合部材２を設ける。タオル四辺の任意方向の左右に開閉式ファスナー３を縫合する。【選択図】図１
0003189243.tif 000002
【実用新案登録請求の範囲】
【請求項１】
任意の大きさのタオル等の布片の四辺の任意方向の相対する辺にファスナーを縫合したことを特徴とするファスナー式ラップタオル。
【請求項２】
ファスナー開放時にはスライダーカバーとなる位置に面ファスナーを介して覆い布を設け、相対する辺に於いて、連結可能な位置に別の面ファスナーを設けた。
請求項１記載のファスナー式ラップタオル。
【請求項３】
前記、任意の大きさのタオル等の布片の側面に切り込みを設け、前記切り込みを覆うようにポケットを設けた請求項１記載のファスナー式ラップタオル。
【考案の詳細な説明】
【技術分野】
【０００１】本考案は、身体に巻くラップタオルに関する物である。
【背景技術】
【０００２】従来、ラップタオルと呼ばれ、タオルの上部に伸縮部を設け、結合部にスナップを付け筒状にし、身体に巻きつけるものは実用に供されている。
又、ファスナーをタオルに縫着し、複数枚繋いで平面的に大きさを可変させる物があった。【０００３】
【非特許文献１】ウィキペギィア  ラップタオル
【考案の概要】
【考案が解決しようとする課題】
【０００４】ラップタオルをスポーツ等の着替え時に着用することにより、結合部のスナップとスナップとの間より、身体の一部が見えてしまう恐れがある。
またスナップの開閉に力がかかるため、力の弱い者には開閉が困難である。
本考案は以上の問題点を解決しようとするものである。
【課題を解決するための手段】
【０００５】そこで本考案はタオルの上部に伸縮性のあるゴムまたは弾性部材などを取り付け身体に密着させ、上部の両端に結合部材をつけ身体からのずれを防止する。
タオルの両端には開閉式のファスナーを縫製し、左右の布を結合させることを特徴とする。ここで結合部材とは、必ずしもスナップに限られるものではなく、面ファスナー、ボタン、ひも等を使用することができる。
【考案の効果】
【０００６】上記のように構成された本考案の形態によれば、タオルの結合にファスナーを使用しているので、スナップの間隔のような隙間が出来ず身体が見えてしまうのを防止することができ、ファスナーを上下に上げ下げするだけで力をかけずに容易に開閉できる。ファスナーのスライダー部分に覆う布を設け面ファスナーで設けカバーにをすることによりスライダーが身体に直接あたることを避け、不快感を無くすことができる。
切り込みを入れた部分を覆うようにポケットを設けることにより、ポケットより手の出し入れが可能になり、衣類の着脱等が容易になる。
【図面の簡単な説明】
【０００７】
【図１】本考案のファスナー式ラップタオルの結合部材を結合し、開閉式ファスナーを閉じた状態を示す斜視図である。
【図２】本考案を片方開いた状態の斜視図である。
【図３】本考案のファスナースライダーに覆い布を設けた図である。
【図４】本考案のファスナースライダー覆い布の部分拡大図である。
【図５】本考案の側面の切り込みにポケットを設けた図である。
【考案を実施するための形態】
【０００８】以下、本考案の実施の形態を説明する。
（イ）  タオル上部（１）に伸縮性のあるゴムなどの部材を縫い付けるか、端を筒状にし        てゴムなどの部材を通す。
（ロ）  上端部の左右に結合部材（２）を設ける。
（ハ）  タオル四辺の任意方向の左右の端に開閉式ファスナー（３）を縫着する。
本考案は以上のような構造である。
本考案を身体に巻いて使用するときは、（２）の結合部材を結合し、（３）の開閉式ファスナーを閉じた状態で使用する。又本考案をタオル等として利用するときは、（２）の結合部材を開放し、開閉式ファスナーを開いた状態で使用する。
【実施例】
【０００９】なお本考案においてタオルと称するものは、布あるいはタオル状の生地等を使用することができる。
本体の材質を変えることにより使用方法も多様化する。
たとえばタオル素材を使用するとスポーツ時に活用でき、保温性の高い素材を使用すると防寒具として使用でき、撥水性の高い素材であれば雨具などとして使用できる。ファスナーのスライダー部分に覆う布（４）を付け面ファスナー等で開閉出来るようにするとタオルとしての使用時に安全性を高めることができる。
この形態にポケット等（５）を設けることにより、ファッション性機能を高めることもできる他、タオルの側面に切り込み（６）を入れその上部に覆うようにポケット（５）を設けることにより、ポケット部から手の出し入れが可能となり、衣類の着脱等が容易になる。ファスナーの開閉については、縫着の状態により上部からでも下部からでも可能である。
【符号の説明】
【００１０】１．布上部
２．結合部材
３．開閉式ファスナー
４．ファスナースライダー覆い布
５．ポケット
６．切り込み
【図１】
0003189243.tif 000003
【図２】
0003189243.tif 000004
【図３】
0003189243.tif 000005
【図４】
0003189243.tif 000006
【図５】
0003189243.tif 000007
【手続補正書】
【提出日】平成25年9月3日(2013.9.3)
【手続補正１】
【補正対象書類名】実用新案登録請求の範囲
【補正対象項目名】請求項２
【補正方法】変更
【補正の内容】
【請求項２】
ファスナー開放時にはスライダーカバーとなる部分に面ファスナーを介して覆い布を設け、相対する辺に於いて、連結可能な位置に別の面ファスナーを設けた。
請求項１記載のファスナー式ラップタオル。
【手続補正書】
【提出日】平成25年11月13日(2013.11.13)
【手続補正１】
【補正対象書類名】実用新案登録請求の範囲
【補正対象項目名】請求項２
【補正方法】変更
【補正の内容】
【請求項２】
ファスナー開放時にスライダーが位置するファスナー端部を覆うように、前記ファスナー端部の近傍に面ファスナーを設けた覆い布及び前記面ファスナーに係合する対となる面ファスナーを設け、さらに相対する辺にも前記面ファスナーに係合する対となる別の面ファスナーを設けた、請求項１記載のファスナー式ラップタオル。
(57)【要約】      （修正有）【課題】高齢者や女性、子供等指先の力の弱い人でも開け易く、指先の力が入り易い構造の蓋を提供する。【解決手段】飲料缶の上面において、飲み口の広さは従前のまま、飲み口から上面にへばりつくように伸びていくプルタブの全面を、飲み口の約２倍の面積になる程に広げた幅広のプルタブ４に改変し、プルタブ先端の引き起こし部５を、小高い丘状に湾曲させて指先の腹まで入る摘み口６を形成するとともに、丘の高さは最大でも缶上面の周壁７の高さよりも低くする。【選択図】図４
0003189252.tif 000002
【実用新案登録請求の範囲】
【請求項１】
飲料缶の上面において、飲み口の広さは従前のまま、飲み口面にへばりつくように伸びていくプルタブの全周囲を、約２倍の面積になる程に広げた幅広プルタブに改変し、プルタブ先端の引き起こし部を、小高い丘状に湾曲させて摘み口を形成し、丘の高さは、最大でも缶上面の周壁の高さより低く形成したことを特徴とする楽に開けられる幅広プルタブ式蓋。
【考案の詳細な説明】
【技術分野】
【０００１】  本考案は、全てのソフトドリンク、酒、ビール、乳飲料、料理用調味料容器（含む缶詰、瓶詰等）のプルタブ式蓋に関するものである。
【背景技術】
【０００２】  アルミ、スチール製のリシール式蓋は、時に強く絞めてあって開け辛く、特にアルミ、スチール製のプルタブ式は、非力な女性（ネイルアート）、高齢者、腕、指の障害・負傷者には開け辛く、飲み辛い状況に在り、一旦開けたら中身を飲み干さねばならず、保管、携帯は難しかった。
【考案の概要】
【考案が解決しようとする課題】
【０００３】  従来、プルタブ式蓋は開け辛く、抉じ開ける動作は、児童、非力な女性（ネイルアート）、高齢者、腕、指に障害をもつ人には難しかった。現在４人に１人は６５歳以上という社会状況にあっては、缶飲料を飲む際に、一旦開けたら一気に飲み干さない限り、携帯保管が厄介であるという事情は、自ずと飲み控え・買い控えする人の増加につながる。
本考案は、以上のような問題点を解決するものである。
【課題を解決するための手段】
【０００４】  飲料缶の上面において、飲み口の広さは従前のまま、飲み口面にへばりつくように伸びていくプルタブの全周囲を、約２倍の面積になる程に広げた幅広プルタブに改変し、プルタブ先端の引き起こし部を、小高い丘状に湾曲させて摘まみ口を形成し、丘の高さは、最大でも缶上面の周壁の高さよりも低く形設する。
以上を特徴とする楽に開けられる幅広プルタブ式蓋である。
【考案の効果】
【０００５】  従来、開けるのが厄介だったプルタブ式蓋が、缶の上面にへばりついて、指先が入りにくく、プルタブ先端を引き起こすのが困難だったが、引き起こし部が広く・高く・すき間が広がって・指の腹で開けられるようになったので、以前の煩わしさが無くなり、気楽に飲料水等の購入、保管、携帯につながり、ボトラー及び他社の掘り起し需要が期待できる。
【図面の簡単な説明】
【０００６】
【図１】従来のプルタブ式蓋を示す平面図
【図２】本考案の平面図
【図３】従来のプルタブ式蓋の斜視図
【図４】本考案の斜視図
【考案を実施するための形態】
【０００７】  以下、本考案の実施の形態を説明する。
飲料缶の飲み口面（２）において、飲み口（３）の広さは従前のまま、飲み口面（２）にへばりつくように伸びていくプルタブ（１）の全周囲を、約２倍の面積になる程に広げた幅広プルタブ（４）に改変し、プルタブ（１）先端の引き起こし部（５）を、子高い丘状に湾曲させて摘まみ口（６）を形成し、丘の高さは、最大でも缶上面の周壁（７）の高さよりも低く形設する。
本考案は、以上のような構成であり、これを実際に使用するときは、缶上面の幅広プルタブ（４）の引き起こし部（５）の摘まみ口（６）に指先を押入れ、引き起こし部（５）の先端の指掛け部（８）を指の腹で引き起こすと、楽に開けることができる。
【符号の説明】
【０００８】  １  プルタブ
２  飲み口面
３  飲み口
４  幅広プルタブ
５  引き起こし部
６  摘まみ口
７  缶上面の周壁
８  指掛け部
【図１】
0003189252.tif 000003
【図２】
0003189252.tif 000004
【図３】
0003189252.tif 000005
【図４】
0003189252.tif 000006
【手続補正書】
【提出日】平成25年12月6日(2013.12.6)
【手続補正１】
【補正対象書類名】実用新案登録請求の範囲
【補正対象項目名】全文
【補正方法】変更
【補正の内容】
【実用新案登録請求の範囲】
【請求項１】
缶飲料のプルタブ式蓋の、プルタブ幅を飲み口幅よりも幅広に形成すると共に、プルタブ先端の引き起こし部を、小高い丘状に湾曲させて摘み口を形成し、丘の高さは最大でも缶天板の周壁の高さより低く形成したことを特徴とするワンタッチで開けられる幅広プルタブ式蓋。
【手続補正２】
【補正対象書類名】図面
【補正対象項目名】全図
【補正方法】変更
【補正の内容】
【図１】
0003189252.tif 000007
【図２】
0003189252.tif 000008
【図３】
0003189252.tif 000009
【図４】
0003189252.tif 000010
(57)【要約】      （修正有）【課題】積み上げるだけで壁面、屋根・天井面、床面を形成することが出来、また間伐材などの比較的細い原木から加工された材料を用いても断熱性能を満たす壁厚を容易に形成出来る自立型住宅構造物を提供する。【解決手段】六角形の断面形状をもつブロック部材１およびそれを分割した五角形３、三角形４、台形２の断面形状をもつ誘導部材を、積み上げる面に対して断面が垂直方向にくるように積み上げたことを特徴とする。【選択図】図１
0003189255.tif 000002
【実用新案登録請求の範囲】
【請求項１】
六角形ブロック部材およびそれを分割した五角形、三角形、台形の誘導部材を積み上げていくことで、土台・柱・梁などを一切必要とせずに組み上げることの出来る自立型住宅構造物。
【請求項２】
六角形ブロック部材およびそれを分割した五角形、三角形、台形の誘導部材からなる請求項１記載の住宅部材キット。
【考案の詳細な説明】
【技術分野】
【０００１】
この考案は、建築に用いる建材の形状および構造に関する。
【背景技術】
【０００２】
従来、多角形ブロックをモザイク状に組み合わせ、床、壁、屋根面を形成する構造物の各面はパネル状であり、また多角形の断面が、各面に対し垂直方向にくるように形成されていた。
【先行技術文献】
【特許文献】
【０００３】
【特許文献１】米抄2000-0069603
【考案の概要】
【考案が解決しようとする課題】
【０００４】
しかしながら、以上の技術によれば、形成される構造物が薄いパネル状であるため、そのままでは自立せず、ボルトやワイヤーなどの締め付け具で締め付ける事が必要であった。また、ブロック部材にはワイヤーを通すための導管が必要であり、加工も複雑であった。そこで、この考案は、積み上げるだけで壁面、屋根・天井面、床面を形成することが出来、また間伐材などの比較的細い原木から加工された材料を用いても断熱性能を満たす壁厚を容易に形成出来る自立型住宅構造物を提供することを課題とする。
【課題を解決するための手段】
【０００５】
以上の課題を解決するために、第一考案は、六角形ブロック部材およびそれを分割した五角形、三角形、台形の誘導部材に自立するだけの十分な長さを持たせ、また、その断面が床、壁、天井面に対し水平方向にくるように積み上げて形成することを特徴とする自立型住宅構造物である。
また、第二考案は、上記の形状を持つことを特徴とする住宅部材キットである。
【考案の効果】
【０００６】
第一考案、または第二考案によれば、六角形のブロック部材およびそれを分割した五角形、三角形、台形に分割した誘導部材に自立するのに十分な長さを持たせ、また多角形の断面が床、壁、天井面に対し水平方向にくるように積み上げていくことで、土台、柱、梁などを一切必要としない自立型の住宅構造体を、専門家の手を要さずに容易に形成出来る。また、壁面については、この部材断面の各辺が互いに接するように3層以上並べて積み上げていくことで、細い間伐材などからでも加工が可能な天地100mm程度の部材を用いて、自立安定性が高く、一般住宅に求められる強度と断熱性能を持つ厚い壁面を形成することが出来る。
【図面の簡単な説明】
【０００７】
【図１】この考案の一実施形態を示す斜視図である。
【図２】この考案に用いる六角形部材の斜視図である。
【図３】この考案に用いる台形部材の斜視図である。
【図４】この考案に用いる五角形部材の斜視図である。
【図５】この考案に用いる三角形部材の斜視図である。
【図６】この考案の他の実施形態の斜視図である。
【図７】従来技術を示す斜視図である。
【図８】従来技術に用いる部材を示す斜視図である。
【考案を実施するための形態】
【０００８】
この考案の一実施形態を、図１に示す。
積み上げる建材は六角形、およびそれを分割して作られた五角形、台形、三角形の断面形状を持ち、自立するのに十分な長さを持つものであり、これを面に対して断面が垂直方向にくるように積み上げていくだけで壁、壁はもとより斜め勾配を持つ屋根・天井面を容易に形成することが出来る。
【０００９】
「実施形態の効果」
この実施形態によれば、部材を積み上げるだけで、従来技術では不可能であった自立型の建築構造物を形成出来るため、専門家の手を要さずに、自分自身の手でも一般住宅に求められる強度と断熱性能を満たす建築に気楽にたずさわることを可能にする。また細い間伐材から得られる部材を組み合わせて全ての住宅構造体を形成していくため、国内で大量に得られる細い間伐材を活用することが出来、今後、世界的にますます希少な存在となる大径木を温存する事が出来る。
「他の実施形態」
図１の実施形態では、この建材を壁面と平行方向に用いて、住宅の骨組みとなる柱や桁など既存の部材を不要とする構造体として使用したものであるが、図６のように、この建材をカットして、既存の柱、桁などの間に積み上げても良い。
【符号の説明】
【００１０】
１  断面が六角形の建材
２  1を半分にカットした断面が台形の建材
３  1の一部をカットした断面が５角形の建材  
４  3の反対面である三角形の建材
【図１】
0003189255.tif 000003
【図２】
0003189255.tif 000004
【図３】
0003189255.tif 000005
【図４】
0003189255.tif 000006
【図５】
0003189255.tif 000007
【図６】
0003189255.tif 000008
【図７】
0003189255.tif 000009
【図８】
0003189255.tif 000010
【手続補正書】
【提出日】平成25年12月19日(2013.12.19)
【手続補正１】
【補正対象書類名】実用新案登録請求の範囲
【補正対象項目名】全文
【補正方法】変更
【補正の内容】
【実用新案登録請求の範囲】
【請求項１】
六角形の断面形状をもつブロック部材およびそれを分割した五角形、三角形、台形の断面形状をもつ誘導部材を、積み上げる面に対して断面が垂直方向にくるように積み上げたことを特徴とする自立型住宅構造物。
【請求項２】
請求項１記載の自立型住宅構造物を形成するための住宅部材キットであって、六角形の断面形状を持つブロック部材およびそれを分割した五角形、三角形、台形の断面形状をもつ誘導部材からなる住宅部材キット。